(57)【要約】  【課題】  メモリカード本体を挿入するコネクタの厚さを縮小することのできるメモリカードを提供する。  【解決手段】  メモリカード本体の一端にコンタクト端子を設け、該コンタクト端子の一端を前方に延伸させて接触板とし、該接触板を該メモリカード本体前端の挿入部の外側に凸設する。【選択図】  図３
0003114740.tif 000002
【実用新案登録請求の範囲】
【請求項１】
メモリカード本体の一端にコンタクト端子を設け、該コンタクト端子の一端を前方に延伸させて接触板とし、該接触板を該メモリカード本体前端の挿入部の外側に凸設することを特徴とするメモリカード。
【請求項２】
前記接触板とコンタクト端子とがＬ字状を呈するように一体に形成されることを特徴とする請求項１に記載のメモリカード。
【請求項３】
前記接触板とコンタクト端子とが離れた状態に形成されることを特徴とする請求項１に記載のメモリカード。
【考案の詳細な説明】
【技術分野】
【０００１】
この考案は、メモリカードに嵌合させて設けるコネクタに関する。
【背景技術】
【０００２】
科学技術の進歩と、情報産業の発達にともない、電子製品の発展には日進月歩の感がある。その中に在ってメモリカードは、目下最も便利なデータ保存用製品となっている。メモリカードの使用範囲はかなり広く、ディジタルカメラ、ディジタルビデオカメラなどのハイテク機器に応用されている。
【０００３】
メモリカードには多くの種類があり、例えばＳＤ、ＸＤ、ＭＭＣなどフォーマットの違いによって異なる仕様のメモリカードが製品化されている。但し、メモリカードは、主に内設される記憶媒体によってデータを保存し、外部に設けられた接続端子を介してデータ信号を読み取り装置に伝送し、さらにコンピュータ本体によって受信する。
【０００４】
従来のメモリカードは、読み取り装置、コネクタなどの接続装置と合わせ用いる（図１、２参照）。コネクタを例に挙げると、メモリカード本体（１０）には、コネクタ（３０）に対応するコンタクト端子（２０）を設ける。メモリカード本体（１０）をコネクタ（３０）内に挿入すると、メモリカード本体（１０）のコンタクト端子（２０）とコネクタ（３０）内の導電板（３１）とが上下に重なり合う方式で接触し、メモリカード本体（１０）がコネクタ（３０）を介して読み取り装置と連結し、データの読み取りと保存を行う。
【０００５】
また、コンタクト端子（２０）と導電板（３１）との好ましい接触の効率を得るために、コネクタ（３０）内の導電板（３１）に円弧状の凸状部を形成して弾性を持たせる。このため、コンタクト端子（２０）が導電板（３１）上に重なり合う場合、凸状部の作用によって弾性が発生してコンタクト端子（２０）と導電板（３１）とが緊密に接触する。
【０００６】
但し、コンタクト端子（２０）と導電板（３１）とが上下に重なり合って接触する方式は、コネクタ（３０）内にある程度の大きさの収納空間（３２）を必要とする。収納空間（３２）が所定の容量を有することによって、メモリカード本体（１０）をコネクタ（３０）に挿入する場合、導電板（３１）が干渉する現象の発生を防ぐことができ、メモリカード本体（１０）をコネクタ（３０）に順調に挿入して組み付けることができる。言い換えれば、かかる構造はコネクタ（３０）の厚さを縮小することができず、接続装置の発展に制限を与える。
【考案の開示】
【考案が解決しようとする課題】
【０００７】
この考案は、メモリカード本体を挿入するコネクタの厚さを縮小することのできるメモリカードを提供することを課題とする。
【課題を解決するための手段】
【０００８】
そこで本考案者は、従来の技術に鑑み鋭意研究を重ねた結果、メモリカード本体の一端にコンタクト端子を設け、該コンタクト端子の一端を前方に延伸させて接触板とし、該接触板を該メモリカード本体前端の挿入部の外側に凸設してなるメモリカードの構造によって課題を解決できる点に着眼し、係る知見に基づき本考案を完成させた。
以下、この考案について具体的に説明する。
【０００９】
請求項１に記載するメモリカードは、メモリカード本体の一端にコンタクト端子を設け、該コンタクト端子の一端を前方に延伸させて接触板とし、該接触板を該メモリカード本体前端の挿入部の外側に凸設する。かかる構造によって、メモリカード本体のコンタクト端子と、コネクタ内に設けられ、該接触板に接触する導電板とが前後方向に対応して接触するため、コネクタの厚さを縮小することができる。
【００１０】
請求項２に記載するメモリカードは、請求項１における接触板とコンタクト端子とがＬ字状を呈するように一体に形成される。
【００１１】
請求項３に記載するメモリカードは、請求項１における接触板とコンタクト端子とが離れた状態に形成される。
【考案の効果】
【００１２】
本考案のメモリカードは、対応するメモリカード用のコネクタの厚さを縮小できるという利点がある。
【考案を実施するための最良の形態】
【００１３】
図３、図４に、この考案によるメモリカードを開示する。図面によれば、メモリカード本体（１０）は、上面の一端にコンタクト端子（２０）を設ける。該コンタクト端子（２０）は、一端を前方に向かって延伸させ、Ｌ字状に形成して接触板（２１）とする。該コンタクト端子（２０）と接触板（２１）とは、いずれも導電性の材質によって形成する。該接触板（２１）は、メモリカード本体（１０）の前端の挿入部（１１）に位置する。
【００１４】
コネクタ（３０）内に設ける導電板（３１）は、Ｌ字状に形成する。よって、メモリカード本体（１０）をコネクタ（３０）に挿入すると、メモリカード本体（１０）の前端の挿入部（１１）がコネクタ（３０）内に挿入され、かつ該挿入部（１１）に位置する接触板（２１）とコネクタ（３０）内のＬ字状に形成された導電板（３１）に接触し、それぞれが前後方向に接触した状態となる。また、コネクタ（３０）内の導電板（３１）の接触板（２１）と接触する一端には、円弧状の凸状部を形成して弾性を持たせる。このため、接触板（２１）と導電板（３１）とが密着する。
【００１５】
この考案においては、メモリカード本体（１０）とコネクト（３０）とを組み立てる場合、コンタクト端子（２０）前端の接触板（２１）と、コネクタ内のＬ字状に形成した導電板（３１）とを接触させる。よって、接触板（２１）と導電板（３１）とは前後に対応して接触する。係る構造は、コネクタ（３０）の全体的な厚さを縮小し、小型化することができる。よって、コネクタ（３０）などの連結装置の発展性をさらに拡張することができる。    
【００１６】
また、図５に開示するように、コンタクト端子（２０）の前端面に接触板（２１）を凸設してもよい。この場合、コンタクト端子（２０）と接触板（２１）とを、それぞれメモリカード本体（１０）の上端と前端の挿入部の外側に設け、離れた状態にするが、上述する構造と同様の効果が得られる。
【００１７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００１８】
【図１】従来のメモリカードとコネクタを示した斜視図である。
【図２】従来のコネクタにメモリカードを挿入した状態を示した断面図である。
【図３】この考案によるメモリカードの斜視図である。
【図４】この考案による守りカードをコネクタに挿入した状態を示した断面図である。
【図５】他の実施形態によるメモリカードを示した斜視図である。
【符号の説明】
【００１９】
１０    メモリカード本体
１１    挿入部
２０    コンタクト端子
２１    接触板
３０    コネクタ
３１    導電板
３２    収納空間           
【図１】
0003114740.tif 000003
【図２】
0003114740.tif 000004
【図３】
0003114740.tif 000005
【図４】
0003114740.tif 000006
【図５】
0003114740.tif 000007
【手続補正書】
【提出日】平成16年11月8日(2004.11.8)
【手続補正１】
【補正対象書類名】明細書
【補正対象項目名】０００３
【補正方法】変更
【補正の内容】
【０００３】
メモリカードには多くの種類があり、例えばＳＤ、ＸＤ（登録商標）、ＭＭＣなどフォーマットの違いによって異なる仕様のメモリカードが製品化されている。但し、メモリカードは、主に内設される記憶媒体によってデータを保存し、外部に設けられた接続端子を介してデータ信号を読み取り装置に伝送し、さらにコンピュータ本体によって受信する。